(57)【要約】      （修正有）【課題】開放できる一番目箱蓋と二番目箱蓋を有する箱体（スーツケース）に取り付けるための２セットの錠ユニットを備えたバッグ錠を提供する。【解決手段】バッグ錠は、蓋閉の位置に維持する一番目箱蓋６１と二番目箱蓋６２をロック・連結するための、一番目錠機構１１１を設けた一番目錠本体１１と、二番目錠機構１２１を設けた二番目錠本体１２とを有し、一番目錠本体のロックを解除することで、一番目箱蓋を開放することが可能で、または二番目錠本体のロックを解除することで、二番目箱蓋を開放することが可能である。【選択図】図１
0003218614.tif 000002
【実用新案登録請求の範囲】
【請求項１】
開放できる一番目箱蓋と二番目箱蓋のある箱体に取り付けるためのバッグ錠で、前記バッグ錠には、
一番目錠機構を設け、分離可能な関係ロックで前記箱体の前記一番目箱蓋に連結されている一番目錠本体と、
二番目錠機構を設け、分離可能な関係ロックで前記箱体の前記二番目箱蓋に連結されている二番目錠本体とがあり、
そして、前記一番目錠本体と前記二番目錠本体が可動に連結され、前記一番目錠本体と前記二番目錠本体がそれぞれ蓋閉の位置に維持する前記一番目箱蓋と前記二番目箱蓋にロック・連結され、前記一番目箱蓋と前記二番目箱蓋に錠を掛け、前記一番目錠機構を操作することで開錠の状態に変換することにより、前記一番目錠本体のロックを解除し、前記一番目箱蓋を開放し、及び前記二番目錠機構を操作することで開錠の状態に変換することにより、前記二番目錠本体のロックを解除し、前記二番目箱蓋を開放する、バッグ錠。
【請求項２】
前記一番目錠機構がキー錠またはパスワード錠である、
請求項1に記載のバッグ錠。
【請求項３】
前記二番目錠機構がキー錠またはパスワード錠である、
請求項1に記載のバッグ錠。
【請求項４】
前記一番目錠本体と前記二番目錠本体が互いにヒンジで連結されている、
請求項1に記載のバッグ錠。
【請求項５】
前記一番目錠本体のロック連結用として前記一番目箱蓋に錠ファスナーを設け、前記一番目錠本体のロック連結用として前記二番目箱蓋に錠ファスナーを設ける、
請求項1に記載のバッグ錠。
【請求項６】
開放できる一番目箱蓋と二番目箱蓋の箱体に取り付けるためのバッグ錠で、前記バッグ錠には、
一番目錠機構を設け、前記箱体の前記一番目箱蓋に設置されている一番目錠本体と、
二番目錠機構を設け、前記箱体の前記二番目箱蓋に設置されている二番目錠本体とがあり、
そして、前記一番目箱蓋と前記二番目箱蓋がすべて蓋閉の位置に維持する時、前記一番目錠本体と前記二番目錠本体が互いにロック・連結され、前記一番目箱蓋と前記二番目箱蓋に錠を掛け、前記一番目錠機構を操作することで開錠の状態に変換することにより、前記一番目箱蓋を開放し、及び前記二番目錠機構を操作することで開錠の状態に変換することにより、前記二番目箱蓋を開放する、バッグ錠。
【請求項７】
前記一番目錠機構がキー錠またはパスワード錠である、
請求項6に記載のバッグ錠。
【請求項８】
前記二番目錠機構がキー錠またはパスワード錠である、
請求項6に記載のバッグ錠。
【請求項９】
前記一番目錠本体と二番目錠本体にそれぞれ錠ファスナーと錠ファスナー穴を設け、前記錠ファスナーと前記錠ファスナー穴が互いに嵌めて連結される、
請求項6に記載のバッグ錠。
【請求項１０】
開放できる一番目箱蓋と二番目箱蓋のある箱体に取り付けるためのバッグ錠で、前記バッグ錠には、
一番目錠機構を設け、前記箱体の前記一番目箱蓋に結合されている一番目錠本体と
二番目錠機構を設け、前記箱体の前記二番目箱蓋に結合されている二番目錠本体と
前記一番目錠本体にロック・連接されている一番目端部と、前記二番目錠本体にロック・連接されている二番目端部のある接合具とがあり、
そして、前記一番目箱蓋と前記二番目箱蓋がすべて蓋閉の位置に維持する時、前記接合具が前記一番目錠本体と前記二番目錠本体でロックされ、前記一番目箱蓋と前記二番目箱蓋に錠を掛け、そして前記一番目錠機構を操作することで開錠の状態に変換することにより、前記接合具の一番目端部に対するロックを解除し、前記一番目箱蓋を開放し、及び前記二番目錠機構を操作することで開錠の状態に変換することにより、前記接合具の二番目端部に対するロックを解除し、前記二番目箱蓋を開放する、バッグ錠。
【請求項１１】
前記一番目錠機構がキー錠またはパスワード錠である、
請求項10に記載のバッグ錠。
【請求項１２】
前記二番目錠機構がキー錠またはパスワード錠である、
請求項10に記載のバッグ錠。
【考案の詳細な説明】
【技術分野】
【０００１】
本考案はスーツケースに取り付られるバッグ錠に関するものである。
【背景技術】
【０００２】
現在、空港はさまざまな安全のために、荷物に対するセキュリティチェックに厳格な基準を採用し、安全心配のある荷物に対して、必要があれば強制的にスーツケースを開いてチェックする。そのため、事前に錠を掛けた荷物に対して、錠を破壊しなければならない。しかし、荷物はセキュリティチェックを通過した後、錠が破壊され使用できなくなるので、錠の保護を失ってしまう。
【０００３】
錠のセキュリティチェックによる破壊の問題を考え、2セットの錠ユニットを備えた錠が出て来た。例えば、アメリカTravel Sentry 社は関連する錠を複数発表した。このような錠には、主に購買者が錠を掛けたり解除する時に使用できる1セットの錠ユニットと、セキュリティチェックのスタッフに専用のもう1セットの錠ユニットがある。このように、セキュリティチェックのスタッフは荷物に対してセキュリティチェックを実行する時に、正常な手法で錠を開き、セキュリティチェックが完了したら再度錠を掛ける。これにより、錠は破壊されず、荷物はセキュリティチェックの後も安全保障がある。
【考案の概要】
【０００４】
そこで、本考案では、主にスーツケースに取り付けられ、2セットの錠ユニットを備えたバッグ錠を提供する目的とする。
【０００５】
上述した目的を達成するために、本考案のバッグ錠は、開放できる一番目箱蓋と二番目箱蓋を有する箱体に取り付けるための、2セットの錠ユニットを備えたバッグ錠を提案し、
前記バッグ錠に、蓋閉の位置に維持する前記一番目箱蓋と前記二番目箱蓋をロック・連結するための、一番目錠機構を設けた一番目錠本体と、二番目錠機構を設けた二番目錠本体とを有し、
前記一番目錠本体のロックを解除することで、前記一番目箱蓋を開放することが可能で、または前記二番目錠本体のロックを解除することで、前記二番目箱蓋を開放することが可能である。
【０００６】
実施する際に、前記の一番目錠機構と二番目錠機構は、それぞれキー錠とパスワード錠である。一番目錠機構と二番目錠機構は、その錠機構が同じでも同じでなくても構わない。
【０００７】
本考案は上述した構成により、一番目錠本体に搭載された一番目錠機構を解除するだけで、前記箱体の一番目箱蓋が開放でき、または二番目錠本体に搭載された二番目錠機構を解除するだけで、前記箱体の二番目箱蓋が開放できる。
【０００８】
以下は、実施方式において、本考案の詳細な特徴及びメリットを詳しく述べる。その内容により、関連技術を知る者は誰も本考案の技術内容を理解してそれによって実施することが可能である。また、本説明書に記載された内容、請求の範囲及び図表により、関連技術を知る者は誰も本考案の目的及びメリットを容易に理解することが可能である。
【図面の簡単な説明】
【０００９】
【図１】本考案バッグ錠の第1の好ましい実例の図であり、図1Aは第1の好ましい実施例の使用状態を示す図である；
【図２】本考案バッグ錠の第２の好ましい実施例の図であり、図2Aは第２の好ましい実施例の使用状態を示す図である；
【図３】本考案バッグ錠の第３の好ましい実施例の図であり、図3Aは第３の好ましい実施例の使用状態を示す図である；
【図４】本考案バッグ錠の第４の好ましい実施例の図であり、図4Aは第４の好ましい実施例の使用状態を示す図である；
【図５】本考案バッグ錠の第５の好ましい実施例の図であり、図5Aは第５の好ましい実施例の使用状態を示す図である；
【図６】本考案バッグ錠の第６の好ましい実施例の図であり、図6Aは第６の好ましい実施例の使用状態を示す図である。
【考案を実施するための形態】
【００１０】
以下、本考案で提案した3型式のバッグ錠の実施形態について説明する。図1及び図2の実施形態一；図3、図4及び図5の実施形態二；図6の実施形態三。
【００１１】
先ず、図1及び図2の実施例１及び実施例２を参照されたい。バッグ錠10は、開放できる一番目箱蓋61と二番目箱蓋62のある箱体60に取り付けられ、前記一番目箱蓋61と二番目箱蓋62にそれぞれ錠ファスナー611と621を設け、前記箱体60に収納の空間がある。前記バッグ錠10には、ヒンジ連結による一番目錠本体11と二番目錠本体12があり、前記一番目錠本体21には一番目錠機構111を設け、前記一番目錠本体11は分離可能な関係ロックで箱体60の一番目箱蓋61に連結され、前記二番目錠本体12には二番目錠機構121を設け、前記二番目錠本体12は分離可能な関係ロックで前記箱体60の二番目箱蓋62に連結されている。
【００１２】
前記一番目錠機構111はキー錠またはパスワード錠で、前記二番目錠機構121はキー錠またはパスワード錠である。実施する際に、一番目錠機構111と二番目錠機構121は錠機構が同じでも同じでなくても構わない。
【００１３】
箱体60の一番目箱蓋61と二番目箱蓋62がすべて蓋閉の位置にある場合、前記一番目錠本体11と前記二番目錠本体12がそれぞれ蓋閉の位置に維持する一番目箱蓋61と二番目箱蓋62にロック・連結され、前記一番目箱蓋61と前記二番目箱蓋62に錠を掛け、一番目箱蓋61と二番目箱蓋62が開けない。
【００１４】
図1Aと図2Aのように、使用する際に、一番目錠本体11に搭載された一番目錠機構111を解除すれば、前記箱体60の一番目箱蓋61が開放でき、物品が取り出せる。二番目錠本体12に搭載された二番目錠機構121を解除すれば、前記箱体60の二番目箱蓋62が開放でき、物品が取り出せる。
【００１５】
つまり、バッグ錠10には、主に可動に連結された一番目錠本体11と二番目錠本体12があり、一番目錠本体11と二番目錠本体12がそれぞれ蓋閉の位置に維持する一番目箱蓋61と二番目箱蓋62での錠ファスナー611と621にロック・連結され、そして一番目錠本体11のロックを解除することにより一番目箱蓋61が開放でき、または二番目錠本体12のロックを解除することにより二番目箱蓋62が開放できる。
【００１６】
図3、図4及び図5の実施例３、実施例４及び実施例５を参照されたい。バッグ錠20は、開放できる一番目箱蓋61と二番目箱蓋62のある箱体60に取り付けられ、前記箱体60に収納の空間がある。前記バッグ錠20には、前記一番目箱蓋61に設けた一番目錠本体21と前記二番目箱蓋62に設けた二番目錠本体22があり、一番目錠本体21と二番目錠本体22にはそれぞれ錠ファスナー23と錠ファスナー穴24があり、前記錠ファスナー23と前記錠ファスナー穴24は互いに嵌めて連結されている。
【００１７】
前記一番目錠機構211はキー錠またはパスワード錠で、前記二番目錠機構221はキー錠またはパスワード錠である。実施する際に、一番目錠機構211と二番目錠機構221は錠機構が同じでも同じでなくても構わない。
【００１８】
箱体60の一番目箱蓋61と二番目箱蓋62がすべて蓋閉の位置にある場合、一番目錠本体21と二番目錠本体22が錠ファスナー23と錠ファスナー穴24で互いに嵌めてロック連結され、前記一番目箱蓋61と前記二番目箱蓋62に錠を掛け、一番目箱蓋61と二番目箱蓋62が開けない。
【００１９】
図3A、図4A及び図5Aのように、使用する際に、一番目錠本体21に搭載された一番目錠機構211を解除すれば、前記箱体60の一番目箱蓋61が開放でき、物品が取り出せる。二番目錠本体22に搭載された二番目錠機構221を解除すれば、前記箱体60の二番目箱蓋62が開放でき、物品が取り出せる。
【００２０】
図6の実施例６を参照されたい。図の通りに、バッグ錠30は、開放できる一番目箱蓋61と二番目箱蓋62のある箱体60に取り付けられ、前記箱体60に収納の空間がある。前記バッグ錠30には、一番目錠本体31、二番目錠本体32と接合具33があり、前記一番目錠本体31には一番目錠機構311があり、前記一番目錠本体31は箱体60の一番目箱蓋61に連結され、前記二番目錠本体32には二番目錠機構321があり、前記二番目錠本体32は箱体60の二番目箱蓋62に連結されている。
【００２１】
前記接合具33には、前記一番目錠本体31にロック・連接された一番目端部331、及び前記二番目錠本体32にロック・連接された二番目端部332がある。
【００２２】
前記一番目錠機構311はキー錠またはパスワード錠で、前記二番目錠機構321はキー錠またはパスワード錠である。実施する際に、一番目錠機構311と二番目錠機構321は同じでも同じでなくても構わない。
【００２３】
箱体60の一番目箱蓋61と二番目箱蓋62がすべて蓋閉の位置にある場合、前記接合具は同時に前記一番目錠本体31と前記二番目錠本体32でロックされ、前記一番目箱蓋61と前記二番目箱蓋62に錠を掛け、一番目箱蓋61と二番目箱蓋62が開けない。
【００２４】
図6Aのように、使用する際に、一番目錠本体31に搭載された一番目錠機構311を解除すれば、前記接合具33の一番目端部331のロックを解除するだけで、前記箱体60の一番目箱蓋61が開放でき、物品が取り出せる。二番目錠本体32に搭載された二番目錠機構321を解除すれば、前記接合具33の二番目端部332のロックを解除するだけで、前記箱体60の二番目箱蓋62が開放でき、物品が取り出せる。
【００２５】
以上、前記は本考案の適切な実施例のみであるが、それにより本考案の実施範囲を限定できない場合、本考案の請求範囲に従った均等の変化と修飾はすべて本考案の範囲とする。
【符号の説明】
【００２６】
10：錠
11：一番目錠本体
111：一番目錠機構
12：二番目錠本体
121：二番目錠機構
20：錠
21：一番目錠本体
211：一番目錠機構
22：二番目錠本体
221：二番目錠機構
23：錠ファスナー
24：錠ファスナー穴
30：錠
31：一番目錠本体
311：一番目錠機構
32：二番目錠本体
321：二番目錠機構
33：接合具
331：一番目端部
332：二番目端部
60：箱体
61：一番目箱蓋
611：錠ファスナー
62：二番目箱蓋
621：錠ファスナー
【図１】
0003218614.tif 000003
【図１Ａ】
0003218614.tif 000004
【図２】
0003218614.tif 000005
【図２Ａ】
0003218614.tif 000006
【図３】
0003218614.tif 000007
【図３Ａ】
0003218614.tif 000008
【図４】
0003218614.tif 000009
【図４Ａ】
0003218614.tif 000010
【図５】
0003218614.tif 000011
【図５Ａ】
0003218614.tif 000012
【図６】
0003218614.tif 000013
【図６Ａ】
0003218614.tif 000014